(57)【要約】【課題】使い勝手が良く化粧を行いやすい洗面化粧台システムを提供することを目的とする。【解決手段】ボウル部と、前記ボウル部の上方に設けられ収納部を形成する収納部本体と、前記収納部本体の前側において開閉自在に軸支された鏡と、前記収納部本体の上方に設けられ光源として発光ダイオードが使用された照明装置と、を有する洗面化粧台と、非使用時に配置される上方位置と、使用時に配置される下方位置と、を昇降自在に移動可能であり、前記上方位置から前記下方位置へ手動で降ろすための把持部を有する昇降キャビネットと、側面視において、使用状態の前記把持部と、前記鏡の上端の水平方向であって前方へ向かう延長線と、が干渉する一方で、前記鏡が開いても、前記把持部と、前記鏡と、が干渉することを回避する回避手段と、を備えたことを特徴とする洗面化粧台システムが提供される。【選択図】図１
2012196412.tif 000002
【特許請求の範囲】
【請求項１】
ボウル部と、前記ボウル部の上方に設けられ収納部を形成する収納部本体と、前記収納部本体の前側において開閉自在に軸支された鏡と、前記収納部本体の上方に設けられ光源として発光ダイオードが使用された照明装置と、を有する洗面化粧台と、
非使用時に配置される上方位置と、使用時に配置される下方位置と、を昇降自在に移動可能であり、前記上方位置から前記下方位置へ手動で降ろすための把持部を有する昇降キャビネットと、
側面視において、使用状態の前記把持部と、前記鏡の上端の水平方向であって前方へ向かう延長線と、が干渉する一方で、前記鏡が開いても、前記把持部と、前記鏡と、が干渉することを回避する回避手段と、
を備えたことを特徴とする洗面化粧台システム。
【請求項２】
前記回避手段は、前記鏡が開く軌道上に前記把持部が配置されないように、正面視において前記鏡と前記把持部とが左側方および右側方の少なくともいずれかに互いにずれて配置されてなることを特徴とする請求項１記載の洗面化粧台システム。
【請求項３】
前記回避手段は、前記把持部に設けられたことを特徴とする請求項１記載の洗面化粧台システム。
【請求項４】
前記回避手段は、非使用状態の前記把持部を前記使用状態の前記把持部からみて上方へ配置し、前記使用状態の前記把持部を前記非使用状態の前記把持部からみて下方へ配置することを特徴する請求項３記載の洗面化粧台システム。
【発明の詳細な説明】
【技術分野】
【０００１】
本発明の態様は、一般的に、洗面化粧台システムに関する。
【背景技術】
【０００２】
近年、洗面化粧台の鏡を利用して化粧を行う女性が増えてきている。しかしながら、洗面化粧台の鏡を利用して化粧を行いやすくするためには、まだ改善の余地がある。例えば、キャビネット本体の内部には収納部が形成され、キャビネット本体の上端には照明が配設された化粧鏡ユニットがある（特許文献１）。特許文献１に記載されたような化粧鏡ユニットの照明には、一般的に、蛍光灯が利用されている。
【０００３】
しかしながら、ＬＥＤ（Light Emitting Diode：発光ダイオード）などと比較すると、蛍光灯の演色性は低い。そして、蛍光灯は、例えばヒトの肌を黄色っぽく映してしまう。そのため、蛍光灯の下で化粧を行った女性が自然光（太陽光）の下に出ると、化粧の見た目が変化するという課題がある。これに対して、ＬＥＤの演色性は、蛍光灯の演色性よりも高いため、洗面化粧台に設置する照明としてＬＥＤを利用すると、蛍光灯の下と、自然光の下と、の間で化粧の見た目が変化するという課題を解決することができる。
【０００４】
また、女性は、化粧を行うときには、多くの道具を使用する。そのため、多くの化粧道具を収納できるように、収納部の拡大が要望されている。また、化粧道具だけに限定されず、化粧道具以外のより多くの物を収納できるように、収納部の拡大が要望されている。これに対して、一般的に、ＬＥＤの大きさは、蛍光灯の大きさよりも小さいため、洗面化粧台に設置する照明としてＬＥＤを利用すると、特許文献１に記載されたキャビネット本体の内部の収納部を拡大させることができる。
【０００５】
さらに、ラック体が収納キャビネットに収まっている時、収納キャビネットの下端よりも低い位置に把手を備えた昇降式収納装置がある（特許文献２）。例えば、特許文献２に記載されたような昇降式収納装置を特許文献１に記載されたような化粧鏡ユニットの上に設けると、収納部の拡大の要望に応えることができ、また背丈が低い人も高所収納の出し入れ作業を楽におこなうことができる。
【０００６】
これにより、洗面化粧台の鏡を利用したときの化粧の行いやすさを向上させることができる。しかしながら、本発明者の検討の結果、洗面化粧台に設置する照明としてＬＥＤを利用することで収納部を拡大させ、さらに昇降式収納装置を設けるだけでは、新たな課題が生ずることが分かった。具体的には、洗面化粧台に設置する照明としてＬＥＤを利用することで収納部を拡大させることができる一方で、収納部の開閉戸となる鏡を開けると、鏡が昇降式収納装置の把手と接触するという課題が生ずることが分かった。これにより、この課題を解決しないと、洗面化粧台の鏡を利用したときの化粧の行いやすさを向上させることができなくなることが分かった。
【先行技術文献】
【特許文献】
【０００７】
【特許文献１】特許第３６４９７２１号公報
【特許文献２】特開２０００−１０６９５８号公報
【発明の概要】
【発明が解決しようとする課題】
【０００８】
本発明は、かかる課題の認識に基づいてなされたものであり、使い勝手が良く化粧を行いやすい洗面化粧台システムを提供することを目的とする。
【課題を解決するための手段】
【０００９】
第１の発明は、ボウル部と、前記ボウル部の上方に設けられ収納部を形成する収納部本体と、前記収納部本体の前側において開閉自在に軸支された鏡と、前記収納部本体の上方に設けられ光源として発光ダイオードが使用された照明装置と、を有する洗面化粧台と、非使用時に配置される上方位置と、使用時に配置される下方位置と、を昇降自在に移動可能であり、前記上方位置から前記下方位置へ手動で降ろすための把持部を有する昇降キャビネットと、側面視において、使用状態の前記把持部と、前記鏡の上端の水平方向であって前方へ向かう延長線と、が干渉する一方で、前記鏡が開いても、前記把持部と、前記鏡と、が干渉することを回避する回避手段と、を備えたことを特徴とする洗面化粧台システムである。
【００１０】
この洗面化粧台システムによれば、照明装置の光源として発光ダイオードが使用されているため、蛍光灯の下と、自然光の下と、の間で化粧の見た目が変化するという課題を解決することができる。また、発光ダイオードの大きさは、蛍光灯の大きさよりも小さい。そのため、収納部を拡大することができ、収納スペースの拡大の要望に応えることができる。さらに、鏡が開いても、把持部と、鏡と、が干渉（接触）することを回避することができる。これにより、使い勝手が良く化粧を行いやすい洗面化粧台システムを実現することができる。また、昇降キャビネットの大きさを維持したままで収納部を拡大することができる。そのため、昇降キャビネットを下方位置へ降ろしても、使用者への圧迫感を抑えることができる。
【００１１】
また、第２の発明は、第１の発明において、前記回避手段は、前記鏡が開く軌道上に前記把持部が配置されないように、正面視において前記鏡と前記把持部とが左側方および右側方の少なくともいずれかに互いにずれて配置されてなることを特徴とする洗面化粧台システムである。
【００１２】
この洗面化粧台システムによれば、把持部は、鏡が開く軌道上には配置されず、正面視において鏡と左側方および右側方の少なくともいずれかにずれて配置されるため、鏡に折りたたみ機構などを設ける必要はない。例えば、非使用状態の把持部と、開いた状態の鏡と、の接触を回避するために、鏡に折りたたみ機構を設けることが考えられる。この場合には、鏡は、非使用状態の把持部と接触しないように折りたたまれながら開く。そうすると、非使用状態の把持部と、開いた状態の鏡と、の接触を回避することができる。しかしながら、鏡に折りたたみ機構を設けると、使用者の正面の鏡に境界線が生ずる場合がある。そのため、洗面化粧台の鏡を利用したときの化粧の行いやすさを向上させることができないおそれがある。これに対して、この洗面化粧台システムによれば、鏡に折りたたみ機構などを設ける必要はない。そのため、使い勝手が良く化粧を行いやすい洗面化粧台システムを実現することができる。
【００１３】
また、第３の発明は、第１の発明において、前記回避手段は、前記把持部に設けられたことを特徴とする洗面化粧台システムである。
【００１４】
この洗面化粧台システムによれば、回避手段が把持部に設けられているため、鏡に折りたたみ機構などを設ける必要はない。そのため、使用者の正面の鏡に境界線が生ずることを回避することができる。また、回避手段が把持部に設けられているため、昇降キャビネットの昇降機構などに特別な機構などを付加する必要はない。
【００１５】
また、第４の発明は、第３の発明において、前記回避手段は、非使用状態の前記把持部を前記使用状態の前記把持部からみて上方へ配置し、前記使用状態の前記把持部を前記非使用状態の前記把持部からみて下方へ配置することを特徴する洗面化粧台システムである。
【００１６】
この洗面化粧台システムによれば、非使用状態の把持部は、使用状態の把持部からみて上方へ配置される。一方、使用状態の把持部は、非使用状態の把持部からみて下方へ配置される。そのため、把持部を鏡よりも前方に離して配置させるなどして、非使用状態の把持部と、開いた状態の鏡と、の接触を回避させる必要はない。つまり、使用状態と非使用状態とを切り替えるだけのより狭い空間を利用することで、非使用状態の把持部と、開いた状態の鏡と、の接触を回避することができる。
【発明の効果】
【００１７】
本発明の態様によれば、使い勝手が良く化粧を行いやすい洗面化粧台システムが提供される。
【図面の簡単な説明】
【００１８】
【図１】本発明の実施の形態および比較例にかかる洗面化粧台システムを表す断面模式図である。
【図２】本実施形態にかかる洗面化粧台システムの全体を表す断面模式図である。
【図３】本実施形態の昇降キャビネットが降りた状態の一例を例示する断面模式図である。
【図４】本実施形態の回避手段の具体例を説明するための断面模式図である。
【図５】本実施形態の回避手段の具体例を説明するための斜視模式図である。
【図６】本実施形態の洗面化粧台システムを前方からみたときの平面模式図である。
【図７】本実施形態の回避手段の他の具体例を説明するための断面模式図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態および比較例にかかる洗面化粧台システムを表す断面模式図である。  
また、図２は、本実施形態にかかる洗面化粧台システムの全体を表す断面模式図である。  
また、図３は、本実施形態の昇降キャビネットが降りた状態の一例を例示する断面模式図である。  
なお、図１（ａ）は、本実施形態にかかる洗面化粧台システムを表す断面模式図であり、図１（ｂ）は、比較例にかかる洗面化粧台システムを表す断面模式図である。
【００２０】
図１（ａ）に表したように、本実施形態にかかる洗面化粧台システム１００は、洗面化粧台２００と、昇降キャビネット３００と、を備える。図２に表したように、洗面化粧台２００は、ボウル部２１０と、収納部本体２２０と、鏡２３０と、照明装置２４０と、を有する。
【００２１】
収納部本体２２０および鏡２３０は、ボウル部２１０の上方に設けられている。鏡２３０は、収納部本体２２０の前側において開閉自在に軸支されている。収納部本体２２０と鏡２３０との間の空間には、収納部２２１が設けられている。つまり、鏡２３０は、収納部２２１の開閉扉としての機能を有する。例えば、女性などは、鏡２３０を開けることで収納部２２１に化粧道具などを収納することができる。
【００２２】
収納部本体２２０および鏡２３０の上方には、照明装置２４０が設けられている。照明装置２４０は、ＬＥＤ（Light Emitting Diode：発光ダイオード）２４１を有する。ＬＥＤ２４１において発光した光は、図示しない導光板などに導かれ、例えば図１（ａ）に表した矢印２４５、２４６のように洗面化粧台２００の前方へ放出する。ここで、本願明細書において「前方」とは、鏡２３０からみて鏡２３０を利用する者へ向かう方向をいうものとする。
【００２３】
昇降キャビネット３００は、洗面化粧台２００の上方に設けられ、昇降棚３１０と、把持部３２０と、を有する。図３に表したように、昇降棚３１０は、上方位置（収納位置あるいは非使用位置）と下方位置（使用位置）とを昇降自在に移動することができる。把持部３２０は、昇降棚３１０の下部に取り付けられ、使用者が昇降棚３１０を上方位置から下方位置へ手動で降ろすときに使用される。
【００２４】
なお、本実施形態では、昇降棚３１０が上方位置と下方位置とを昇降自在に移動する場合を例に挙げて説明するが、昇降キャビネット３００の構造や機構は、これだけに限定されるわけではない。例えば、昇降キャビネット３００は、昇降棚３１０を有しておらず、昇降キャビネット３００の外形箱などが上方位置と下方位置とを昇降自在に移動してもよい。また、昇降キャビネット３００は、手動式に限定されず、電動式であってもよい。但し、昇降キャビネット３００は、電動式の場合でも、昇降棚３１０や昇降キャビネット３００の外形箱などを上方位置から下方位置へ手動で降ろすための把持部３２０を有する。
【００２５】
図１（ｂ）に表したように、本比較例にかかる洗面化粧台システム５００は、本実施形態にかかる洗面化粧台システム１００と同様に、洗面化粧台６００と、昇降キャビネット３００と、を備える。洗面化粧台６００は、収納部本体６２０と、鏡６３０と、照明装置６４０と、を有する。昇降キャビネット３００は、昇降棚３１０と、把持部３５０と、を有する。本比較例にかかる洗面化粧台システム５００では、本実施形態の照明装置２４０がＬＥＤ２４１を有するのに対し、本比較例の照明装置６４０は、蛍光灯６４１を有する。
【００２６】
近年、洗面化粧台システム１００の鏡２３０を利用して化粧を行う女性が増えてきている。ここで、蛍光灯６４１の演色性は、ＬＥＤ２４１などと比較すると低い。そして、蛍光灯６４１は、例えばヒトの肌を黄色っぽく映してしまう。そのため、蛍光灯６４１の下で化粧を行った女性が自然光（太陽光）の下に出ると、化粧の見た目が変化するという課題がある。
【００２７】
これに対して、本実施形態の照明装置２４０は、ＬＥＤ２４１を有する。ＬＥＤ２４１の演色性は、蛍光灯６４１の演色性よりも高い。そのため、本実施形態にかかる洗面化粧台システム１００は、蛍光灯の下と、自然光の下と、の間で化粧の見た目が変化するという課題を解決することができる。
【００２８】
また、女性は、化粧を行うときには、多くの道具を使用する。そのため、多くの化粧道具を収納できるように、収納部２２１や昇降キャビネット３００などの収納スペースの拡大が要望されている。また、化粧道具だけに限定されず、化粧道具以外のより多くの物を収納できるように、収納部２２１や昇降キャビネット３００などの収納スペースの拡大が要望されている。
【００２９】
これに対して、図１（ａ）および図１（ｂ）に表したように、一般的に、ＬＥＤ２４１の大きさは、蛍光灯６４１の大きさよりも小さい。そのため、昇降キャビネット３００の大きさを維持しつつ、本比較例の収納部６２１の大きさ（収納スペース）を本実施形態の収納部２２１のように上方へ拡大させることができる。さらに、本実施形態にかかる洗面化粧台システム１００は、洗面化粧台２００の上方に昇降キャビネット３００を備えるため、より広い収納スペースを確保することができる。
【００３０】
これにより、洗面化粧台２００の鏡２３０を利用したときの化粧の行いやすさを向上させることができる。しかしながら、本発明者の検討の結果、照明装置２４０の光源としてＬＥＤ２４１を使用することで本比較例の収納部６２１の大きさを本実施形態の収納部２２１のように上方へ拡大させ、さらに昇降キャビネット３００を設けるだけでは、新たな課題が生ずることが分かった。
【００３１】
具体的には、本比較例の収納部６２１の大きさを本実施形態の収納部２２１のように上方へ拡大させると、図１（ｂ）に表したような側面視において、鏡６３０の上端の水平方向であって前方へ向かう延長線が把持部３５０と干渉するという課題が生ずることが分かった。すなわち、本比較例の収納部６２１の大きさを本実施形態の収納部２２１のように上方へ拡大させることができる一方で、鏡６３０を開けると、鏡６３０が把持部３５０と接触するという課題が生ずることが分かった。
【００３２】
これに対して、本実施形態にかかる洗面化粧台システム１００は、図１（ａ）に表したような側面視において、鏡２３０が開いても、把持部３２０と、鏡２３０と、が干渉（接触）することを回避する回避手段を備える。ここで、本願明細書において「鏡２３０が開く」とは、鏡２３０の端部であって収納部本体２２０に対する軸支部とは反対側の端部（先端）が閉止状態の鏡２３０からみて最も離れた位置へ移動する程度にまで鏡２３０が開くことを言うものとする。
【００３３】
より具体的には、本実施形態にかかる洗面化粧台システム１００は、図１（ａ）に表したような側面視において、非使用状態の把持部３２０ａと、鏡２３０の上端の水平方向であって前方へ向かう延長線と、の干渉を回避する回避手段を備える。言い換えれば、本実施形態にかかる洗面化粧台システム１００は、図１（ａ）に表したような側面視において、非使用状態の把持部３２０ａと、開いた状態の鏡２３０と、の接触を回避する回避手段を備える。ここで、本願明細書において「開いた状態の鏡２３０」とは、閉止状態と、鏡２３０の端部であって収納部本体２２０に対する軸支部とは反対側の端部が閉止状態の鏡２３０からみて最も離れた位置へ移動する程度にまで開いた状態と、の間のいずれかの状態の鏡２３０をいうものとする。
【００３４】
また、本願明細書において「非使用状態の把持部」とは、昇降棚３１０や昇降キャビネット３００の外形箱などが上方位置にあるときの把持部３２０の状態であって、使用者が把持部３２０を握っていない状態の把持部３２０をいうものとする。
【００３５】
一方で、図１（ａ）に表したような側面視において、鏡２３０の上端の水平方向であって前方へ向かう延長線が使用状態の把持部３２０ｂと干渉するほどに、本比較例の収納部６２１の大きさを本実施形態の収納部２２１のように上方へ拡大させることができる。言い換えれば、使用状態の把持部３２０ｂと、開いた状態の鏡２３０と、が接触するほどに、本比較例の収納部６２１の大きさを本実施形態の収納部２２１のように上方へ拡大させることができる。
【００３６】
ここで、本願明細書において「使用状態の把持部」とは、使用者が昇降棚３１０や昇降キャビネット３００の外形箱などを上方位置から下方位置へ手動で降ろすときに使用される状態をいうものとする。
【００３７】
本実施形態にかかる洗面化粧台システム１００によれば、非使用状態の把持部３２０ａと、開いた状態の鏡２３０と、の接触を回避しつつ、収納部２２１や昇降キャビネット３００などの収納スペースの拡大の要望に応えることができる。また、照明装置２４０の光源としてＬＥＤ２４１が使用されるため、蛍光灯の下と、自然光の下と、の間で化粧の見た目が変化するという課題を解決することができる。これにより、使い勝手が良く化粧を行いやすい洗面化粧台システム１００を実現することができる。さらに、昇降キャビネット３００の大きさを維持することで、昇降棚３１０や昇降キャビネット３００の外形箱などを上方位置から下方位置へ降ろしても、使用者への圧迫感を抑えることができる。
【００３８】
次に、本実施形態の回避手段の具体例について、図面を参照しつつ説明する。  
図４は、本実施形態の回避手段の具体例を説明するための断面模式図である。  
また、図５は、本実施形態の回避手段の具体例を説明するための斜視模式図である。  
また、図６は、本実施形態の洗面化粧台システムを前方からみたときの平面模式図である。  
なお、図４（ａ）は、本実施形態の把持部３２０を表す断面模式図であり、図４（ｂ）は、比較例の把持部３５０を表す断面模式図である。また、図５（ｂ）は、図５（ａ）に表した範囲Ａを拡大して眺めた拡大模式図である。
【００３９】
図４（ｂ）に表した比較例にかかる洗面化粧台システム７００では、照明装置２４０は、ＬＥＤ２４１を有する。また、本比較例の昇降棚３１０の下部に取り付けられた把持部３５０は、図１（ｂ）に表した把持部３５０と同様である。その他の構造は、本実施形態にかかる洗面化粧台システム１００の構造と同様である。
【００４０】
本比較例にかかる洗面化粧台システム７００では、照明装置２４０の光源としてＬＥＤ２４１が使用されているため、図４（ｂ）に表した収納部２２１のように、収納部本体２２０に形成された収納部を上方へ拡大させることができる。しかしながら、本比較例にかかる洗面化粧台システム７００は、把持部３５０と、開いた状態の鏡２３０と、の接触を回避する回避手段を備えていない。そのため、図４（ｂ）に表したように、使用者が鏡６３０を開けると、鏡６３０が把持部３５０と接触するという問題が生ずる。
【００４１】
これに対して、本実施形態にかかる洗面化粧台システム１００は、側面視において、非使用状態の把持部３２０ａと、開いた状態の鏡２３０と、の接触を回避する回避手段を備える。本具体例の回避手段は、把持部３２０に設けられている。図４（ａ）に表した矢印Ｂのように、把持部３２０は、昇降キャビネット３００に対して回動自在に軸支されている。そして、例えばばねなどの付勢手段が軸支部などに設けられている。図示しないばねなどの付勢手段は、使用状態の把持部３２０ｂから非使用状態の把持部３２０ａへ向かう方向へ把持部３２０を付勢している。これにより、把持部３２０に力が加わっていない場合には、把持部３２０は、非使用状態の把持部３２０ａとなる。そのため、図４（ａ）および図５に表したように、非使用状態の把持部３２０ａと、開いた状態の鏡２３０と、の接触を回避することができる。
【００４２】
また、本具体例の回避手段は、把持部３２０に設けられているため、例えば鏡２３０などのような把持部３２０以外の部材に回避手段を設ける必要はない。そのため、鏡２３０に特別な機構などを設ける必要はなく、使用者は、通常通りに鏡２３０を使用することができる。例えば、非使用状態の把持部３２０ａと、開いた状態の鏡２３０と、の接触を回避するために、鏡２３０に折りたたみ機構を設けることが考えられる。この場合には、鏡２３０は、非使用状態の把持部３２０ａと接触しないように折りたたまれながら開く。そうすると、非使用状態の把持部３２０ａと、開いた状態の鏡２３０と、の接触を回避することができる。しかしながら、鏡２３０に折りたたみ機構を設けると、使用者の正面の鏡２３０に境界線が生ずる場合がある。そのため、洗面化粧台２００の鏡２３０を利用したときの化粧の行いやすさを向上させることができないおそれがある。これに対して、本具体例の回避手段は、把持部３２０に設けられているため、鏡２３０に特別な機構などを設ける必要はない。そのため、使用者は、通常通りに鏡２３０を使用することができる。
【００４３】
また、本具体例の回避手段は、把持部３２０に設けられているため、把持部３２０の構造を工夫することで、非使用状態の把持部３２０ａと、開いた状態の鏡２３０と、の接触を回避することができる。言い換えれば、昇降キャビネット３００の昇降機構などに特別な機構などを付加する必要はない。また、図６に表したように、鏡２３０の左右方向における略中央部に把持部３２０を設けることができる。これによれば、使用者は、鏡２３０の左右方向における略中央部に立ったままで、把持部３２０を掴み、昇降棚３１０や昇降キャビネット３００の外形箱などを上方位置から下方位置へ手動で降ろすことができる。そのため、使い勝手が良く化粧を行いやすい洗面化粧台システム１００を実現することができる。
【００４４】
また、本具体例の回避手段においては、図４（ａ）に表したように、非使用状態の把持部３２０ａは、使用状態の把持部３２０ｂからみて昇降キャビネット３００の側（上方）に配置される。一方、使用状態の把持部３２０ｂは、非使用状態の把持部３２０ａからみて使用者側（下方）に配置される。これにより、把持部３２０を鏡２３０よりも前方に配置させるなどして、非使用状態の把持部３２０ａと、開いた状態の鏡２３０と、の接触を回避させる必要はない。つまり、より狭い空間を利用することで、非使用状態の把持部３２０ａと、開いた状態の鏡２３０と、の接触を回避することができる。
【００４５】
なお、本具体例では、把持部３２０が図４（ａ）に表した矢印Ｂのように回動する場合を例に挙げて説明したが、これだけに限定されるわけではない。把持部３２０は、非使用時には上方へスライドし、使用時には下方にスライドすることで、開いた状態の鏡２３０と接触することを回避してもよい。この場合でも、回避手段は、把持部３２０に設けられ、非使用状態の把持部３２０ａと、開いた状態の鏡２３０と、の接触を回避することができる。
【００４６】
図７は、本実施形態の回避手段の他の具体例を説明するための断面模式図である。  
なお、図７は、本実施形態の洗面化粧台システムを前方からみたときの平面模式図である。
【００４７】
図７に表した洗面化粧台システム１００ａでは、昇降キャビネット３００ａは、洗面化粧台２００の左側面２０１および右側面２０３よりも左右側方にまで延在している。本実施形態にかかる洗面化粧台システム１００ａでは、把持部３３０は、図７に表したような正面視において、洗面化粧台２００の右側面２０３よりも右側方にまで延在した昇降キャビネット３００ａの部分に取り付けられている。つまり、本具体例の回避手段は、鏡２３０が開く軌跡上に把持部３３０が配置されないように、正面視において鏡２３０の右側方にずれて配置されてなる。
【００４８】
なお、把持部３３０は、正面視において、洗面化粧台２００の左側面２０１よりも左側方にまで延在した昇降キャビネット３００ａの部分に取り付けられていてもよい。つまり、本具体例の回避手段は、鏡２３０が開く軌跡上に把持部３３０が配置されないように、正面視において鏡２３０と把持部３３０とが左側方および右側方の少なくともいずれかに互いにずれて配置されてなる。
【００４９】
本具体例の回避手段によれば、図４〜図６に関して前述したように、鏡に折りたたみ機構などを設ける必要はない。そのため、使い勝手が良く化粧を行いやすい洗面化粧台システム１００を実現することができる。また、図１〜図３に関して前述した効果と同様の効果が得られる。
【００５０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面化粧台２００および昇降キャビネット３００などが備える各要素の形状、寸法、材質、配置などや把持部３２０、３３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５１】
１００、１００ａ 洗面化粧台システム、  ２００ 洗面化粧台、  ２１０ ボウル部、  ２２０ 収納部本体、  ２２１ 収納部、  ２３０ 鏡、  ２４０ 照明装置、  ２４１ ＬＥＤ、  ２４５、２４６ 矢印、  ３００ 昇降キャビネット、  ３００ａ 昇降キャビネット、  ３１０ 昇降棚、  ３２０、３２０ａ、３２０ｂ、３３０、３５０ 把持部、  ５００ 洗面化粧台システム、  ６００ 洗面化粧台、  ６２０ 収納部本体、  ６２１ 収納部、  ６３０ 鏡、  ６４０ 照明装置、  ６４１ 蛍光灯、  ７００ 洗面化粧台システム
【図１】
2012196412.tif 000003
【図２】
2012196412.tif 000004
【図３】
2012196412.tif 000005
【図４】
2012196412.tif 000006
【図５】
2012196412.tif 000007
【図６】
2012196412.tif 000008
【図７】
2012196412.tif 000009